(57)【特許請求の範囲】
【請求項１】
エアー・ポンプ本体に平面形状が略コ字形に形成された金属製の芯材と、その片側一方の側壁上周囲にボビンにより収束されて巻装された電磁コイルとを備え、エアー・ポンプ本体に設定された空気の流路上に配置されて空気の吸入および排出を行うダイヤフラムを、ダイヤフラム側に取り付けられたマグネットを電磁作用により往復運動することにより駆動するエアー・ポンプの電磁駆動機構において、
ボビンの一部に一体的に設けられ、芯材の両側壁の端部間を連接する、芯材と同じ金属材料からなる連接片を備えたことを特徴とするエアー・ポンプの電磁駆動機構。
【請求項２】
連接片をボビンにインサート成形により設けている請求項１記載のエアー・ポンプの電磁駆動機構。
【請求項３】
連接片をボビンの予め形成されたスリットに取り付けている請求項１記載のエアー・ポンプの電磁駆動機構。
【請求項４】
芯材および連接片の金属材料に珪素鋼板を用いている請求項１から３のいずれかに記載のエアー・ポンプの電磁駆動機構。
【発明の詳細な説明】
【０００１】
【発明の属する技術分野】
本発明は、エアー・ポンプの電磁駆動機構に関し、特に熱帯魚等の鑑賞魚類を飼育する水槽等に用い、水槽内の泡立て用に空気を送り込むエアー・ポンプにおいて利用する電磁駆動機構に関する。
【０００２】
【従来の技術】
図４にこの種のエアー・ポンプの構造を示している。図４において、４１はエアー・ポンプの本体ケース４２内に構成された電磁駆動機構であり、平面形状が略コ字形に形成された金属製の芯材４３と、その片側一方の側壁４３Ｒ上周囲にボビン４４により収束されて巻装された電磁コイル４５とを備えている。４６は先端にマグネット４７を有するアームであり、先端のマグネット４７を芯材４１に対向させて基端部分がケース４２に固定されている。４８はエアー・ポンプ本体に設定された空気の流路上に配置され、空気の吸入および排出を行うダイヤフラムであり、外力によって収縮、膨張するゴムなどの弾性材料からなり、その動作面がアーム４６の長手方向中間部分に対向し、ねじにより取り付けられている。４９はダイヤフラム４８の空気出口であり、これに水槽内に投入される図示されないホースを接続するようになっている。
【０００３】
次に上記従来例の動作について説明する。図４において、電磁駆動機構４１の電磁作用によって、アーム４６先端のマグネット４７が芯材４３と電磁コイル４５との間を往復運動し、このマグネット４７の往復運動により、アーム４６全体が揺動する。アーム４６の揺動により、ダイヤフラム４８が空気を吸入し、その先端空気出口４９から吐出し、図示されないホースを通じて水槽内に空気を送り込む。
【０００４】
このように、従来のエアー・ポンプでは、電磁駆動機構４１の電磁作用によりアーム４６を揺動し、このアーム４６の揺動によってダイヤフラム４８で空気を吸入し、その出口４９から空気を吐出する構造になっている。
【０００５】
【発明が解決しようとする課題】
しかしながら、上記従来のエアー・ポンプの電磁駆動機構では、エアー・ポンプの作動により芯材が発熱し、温度が上昇していくという問題があった。
【０００６】
【課題を解決するための手段】
上記問題点を解決するために、本発明のエアー・ポンプの電磁駆動機構においては、芯材に熱を逃がすための構造を備え、芯材の発熱を防止するようにしている。
【０００７】
【発明の実施の形態】
本発明のエアー・ポンプの電磁駆動機構は、ボビンの一部に一体的に設けられ、芯材の両側壁の端部間を連接する、芯材と同じ金属材料からなる連接片を備えている。
【０００８】
上記構成により、芯材において熱を効率良く逃すことができるという作用を有する。
【０００９】
本発明のエアー・ポンプの電磁駆動機構は、請求項１の構成において、連接片をボビンにインサート成形により設けている。
【００１０】
上記構成により、連接片とボビンとの一体化を容易に行うことができるという作用を有する。
【００１１】
本発明のエアー・ポンプの電磁駆動機構は、請求項１の構成において、連接片をボビンの予め形成されたスリットに取り付けている。
【００１２】
上記構成により、連接片とボビンとの一体化を容易に行うことができるという作用を有する。
【００１３】
本発明のエアー・ポンプの電磁駆動機構は、請求項１から３のいずれかの構成において、芯材および連接片の金属材料に珪素鋼板を用いている。
【００１４】
上記構成により、珪素鋼板の特性から、芯材において熱を効率良く逃すことができるという作用を有する。
【００１５】
【実施例】
以下、本発明の一実施例について図を用いて説明する。図１乃至図３に本発明によるエアー・ポンプの電磁駆動機構の一実施例を示している。
【００１６】
図１において、１はエアー・ポンプの本体ケース内に構成する電磁駆動機構であり、平面形状が略コ字形に形成された金属製の芯材２と、その片側一方の側壁２Ｌ上周囲にボビン３により収束されて巻装された電磁コイル４とを備えている。
【００１７】
ここで、芯材２は平面が略コ字形の珪素鋼板からなる板材を複数積層して、全体としてブロック状に形成されている。
【００１８】
また、ボビン３は、図１および図２（ａ），（ｂ）に示すように、芯材２の一方の側壁２Ｌにおいて前端側で電磁コイル４を押さえる略矩形状の前側枠３Ｆと、図１および図２（ｂ），（ｃ）に示すように、芯材２の一方の側壁２Ｌにおいて後端側で電磁コイル４を押さえる略矩形状の後側枠３Ｒとを備え、それぞれその中心部に側壁を通す穴３Ｈを備えている。前側枠３Ｆにはまた、図１および図２（ａ），（ｄ）に示すように、芯材２の両側壁２Ｌ、２Ｒ間に位置される一側部に芯材２の両側壁２Ｌ、２Ｒの端部間を連接する、芯材２と同じ珪素鋼板からなる連接片５を一体的に備えている。この連接片５は、図３に示すように、ボビン３の前側枠３Ｆの一側部に沿う略長方形の薄板状に形成され、ボビン３にインサート成形により設けられている。なお、インサート成形に代えて、ボビン３の一側部に予めスリットを形成し、このスリットに後付けにより取り付けることができる。このようにして、連接片５とボビン３との一体化を容易に行うことができる。
【００１９】
このようなボビン３を芯材２の一方の側壁２Ｌ上に取り付けて、その前後枠３Ｆ、３Ｒ間に電磁コイル４が巻き付けられている。
【００２０】
次に上記実施例の電磁駆動機構を従来例に示すエアー・ポンプ本体に適用した場合の動作について図１および図４を用いて説明する。従来例と同様に、電磁駆動機構１の電磁作用によって、アーム４６先端のマグネット４７が芯材２と電磁コイル４との間を往復運動し、このマグネット４７の往復運動により、アーム４６全体が揺動する。そして、アーム４６の揺動により、ダイヤフラム４８が空気を吸入し、その先端空気出口４９から吐出し、図示されないホースを通じて水槽内に空気を送り込む。
【００２１】
一方、エアー・ポンプの動作中、芯材２において発生した熱が連接片５を介して芯材２全体を回り、熱を効率良く逃すことができる。
【００２２】
ここで、芯材２および連接片５に珪素鋼板を用いていることにより、その特性から、芯材２に著しい発熱の防止効果が得られている。
【００２３】
また、電磁駆動機構１全体が簡単な構造であり、低コストを実現することができるという利点がある。
【００２４】
【発明の効果】
以上説明したように、本発明によれば、簡単な構造で、芯材の発熱を防止することができるという効果が得られる。
【図面の簡単な説明】
【図１】本発明の一実施例におけるエアー・ポンプの電磁駆動機構の構成を示す一部断面平面図
【図２】（ａ）同電磁駆動機構に用いるボビンの前端面図
（ｂ）同電磁駆動機構に用いるボビンの平面図
（ｃ）同電磁駆動機構に用いるボビンの後端面図
（ｄ）同電磁駆動機構に用いるボビンの平断面図
【図３】（ａ）同電磁駆動機構においてボビンに一体的に備えた連接片の正面図
（ｂ）同電磁駆動機構においてボビンに一体的に備えた連接片の側面図
【図４】従来の電磁駆動機構を備えたエアー・ポンプの内部構造を示す平面図
【符号の説明】
１  電磁駆動機構
２  芯材
２Ｌ  側壁
２Ｒ  側壁
３  ボビン
３Ｆ  前側枠
３Ｒ  後側枠
３Ｈ  穴
４  電磁コイル
５  連接片
【図１】
0003838723.tif 000002
【図２】
0003838723.tif 000003
【図３】
0003838723.tif 000004
【図４】
0003838723.tif 000005